(57)【要約】【課題】著作権で保護されるべき複数の情報を連続して再生する際に、著作権の保護を行ないつつ、ユーザの利便性を向上できる情報記録再生装置を提供する。【解決手段】著作権で保護されたＤＶＤディスク９Ａに記録された情報を、記録再生装置１に内蔵されたハードディスクに記録し、該ハードディスクに記録された情報を必要に応じて再生する情報記録再生装置において、システム制御回路６Ａは、ＤＶＤプレーヤ２によって再生されたＤＶＤディスク９Ａに暗号化された状態で記録された情報を、記録再生装置１のハードディスクに記録する際に、暗号化された状態で記録すると共に、暗号解読の有効期限を設定する。【選択図】　図１
2004063016.tif 000002
【特許請求の範囲】
【請求項１】
第１の記録媒体に記録された情報を、第２の記録媒体に記録する情報記録方法において、
第１の記録媒体に暗号化された状態で記録された情報を、第２の記録媒体に記録する際に、暗号化された状態で記録すると共に、暗号解読の有効期限を設定するための有効期限情報を併せて記録することを特徴とする情報記録方法。
【請求項２】
第１の記録媒体に暗号化された状態で記録された情報を再生する情報再生手段と、
上記情報再生手段によって再生された第１の記録媒体に記録された情報を、暗号化された状態で第２の記録媒体に記録し、該第２の記録媒体に記録した情報を必要に応じて再生する記録再生手段と、
上記第２の記録媒体に記録した情報の暗号解読の有効期限を設定する有効期限設定手段と、
上記記録再生手段によって、第２の記録媒体に記録された情報が再生されるとき、上記有効期限設定手段によって設定された有効期限を越えているか否かを判定する有効期限判定手段と、
上記有効期限判定手段によって有効期限を越えていると判定された時に、第２の記録媒体に記録された情報の再生を行なわないように上記記録再生手段を制御する制御手段とを備えていることを特徴とする情報記録再生装置。
【請求項３】
上記有効期限設定手段は、第２の記録媒体に第１の記録媒体の情報が記録された時点からの経過時間により有効期限を設定することを特徴する請求項２記載の情報記録再生装置。
【請求項４】
上記有効期限設定手段は、第２の記録媒体に記録された情報の初回の暗号解読時点からの経過時間により有効期限を設定することを特徴とする請求項２記載の情報記録再生装置。
【請求項５】
第１の暗号鍵により暗号化された情報及び該第１の暗号鍵を記録した第１の記録媒体の情報再生を行なう情報再生手段と、
第１の記録媒体に記録された暗号化された情報を第２の記録媒体に記録する記録再生手段と、
第２の記録媒体に記録される情報の暗号解読に対する有効期限を日時情報として記録する有効期限記録手段と、
現在日時に関する情報を取得する日時情報取得手段と、
情報の再生要求が生じた場合に、上記有効期限記録手段に記録された日時情報と上記日時情報取得手段から取得した日時情報とを比較して上記有効期限を判定する有効期限判定手段と、
上記有効期限判定手段によって、第２の記録媒体に記録されている情報の暗号解読に対する有効期限が超過していると判定された場合に、上記第２の記録媒体に記録された暗号化された情報の再生を行なわないように上記記録再生手段を制御する制御手段とを備えていることを特徴とする情報記録再生装置。
【請求項６】
第１の暗号鍵により暗号化された情報及び該第１の暗号鍵を記録した第１の記録媒体の情報再生を行なう情報再生手段と、
第１の記録媒体に記録された暗号化された情報を、上記暗号鍵保持手段の保持場所を特定する情報とを対にして第２の記録媒体に記録する記録再生手段と、
上記第１の記録媒体から読み出した第１の暗号鍵を特定の場所に保持するとともに、第１の記録媒体に記録された情報を、第２の記録媒体に記録された日時情報とを対にして保持する暗号鍵保持手段と、
現在日時に関する情報を取得する日時情報取得手段と、
上記記録再生手段によって第２の記録媒体に記録された情報が再生されるとき、上記暗号鍵保持手段に記録された日時情報と上記日時情報取得手段から取得した日時情報とを比較して、上記第２の記録媒体に記録した情報の暗号解読の有効期限を判定する有効期限判定手段と、
上記有効期限判定手段によって判定した日時情報が有効期限内にある場合に、第１の記録媒体から、暗号化された情報と該情報を復号するための第１の暗号鍵の保存場所を特定する情報を読み出し、第１の暗号鍵の保存場所を特定する情報に基づいて上記暗号鍵保持手段から暗号鍵を読み出し、第２の記録媒体に記録された暗号化された情報を該第１の暗号鍵によって復号するように上記記録再生手段を制御する制御手段とを有することを特徴とする情報記録再生装置。
【請求項７】
上記暗号鍵保持手段は、上記第２の記録媒体上に前記第１の暗号鍵を第２の暗号鍵により暗号化して記録することを特徴とする請求項６記載の情報再生装置。
【発明の詳細な説明】
【０００１】
【発明の属する技術分野】
本発明は、デジタルデータを記録再生する情報記録再生装置に関する。
【０００２】
【従来の技術】
近年、情報記録媒体として、ＤＶＤ（Ｄｉｇｉｔａｌ　Ｖｅｒｓａｔｉｌｅ　Ｄｉｓｃ）が登場しているが、これらに記録されている情報はデジタル情報であるため、デジタル情報が容易にコピーできる状態にある。このため、複製物を劣化なく生成でき、著作権者の権利を侵害するおそれがあるので、ＤＶＤ等の情報記録媒体に記録されたデジタル情報のコピー防止に関して種々の方法が従来提案されている。
【０００３】
例えば、ＤＶＤ−Ｖｉｄｅｏ（読み出し専用）でのコピー防止に関しては、ＤＶＤのコピー防止の基本になる方式であるＣＳＳ（Ｃｏｎｔｅｎｔ　Ｓｃｒａｍｂｌｅ　Ｓｙｓｔｅｍ）が提案されている。ＣＳＳは、デジタル情報を記録媒体であるＤＶＤディスクに記録する際にタイトルキー（鍵）、ディスクキー（鍵）、デバイスキー（鍵）の３層の暗号化技術を使用して暗号化し、ライセンスを受けたＣＳＳ準拠のＤＶＤ機器（プレーヤ）だけが、暗号化されたデジタル情報を復号化して再生可能とするものである。
【０００４】
このようなＣＳＳにより著作権が保護されたＤＶＤディスクを再生するＤＶＤ再生装置には、あらかじめデバイスキーが割り当てられている。
【０００５】
すなわち、ＤＶＤ再生装置は、再生に先立ち、ＤＶＤディスクより暗号化された状態のディスクキーを読み出し、デバイスキーによってディスクキーの暗号を解いてディスクキーを得る。
【０００６】
次に、ＤＶＤディスクに記録されている暗号化された状態のタイトルキーを読み出し、ディスクキーを暗号鍵としてタイトルキーの暗号を解き、タイトルキーを得る。
【０００７】
次いで、ＤＶＤディスクから暗号化された状態のＡＶコンテンツデータを読み出し、タイトルキーを使用してデスクランブルを行いＡＶコンテンツの暗号を解き、該ＤＶＤディスクに記録されたＡＶコンテンツを再生する。
【０００８】
一方、近年ハードディスク装置の記憶容量は増大が進み、ハードディスク一台あたりの容量はＤＶＤの数十倍に達している。例えば、図９に示すように、ＤＶＤ再生手段としてのＤＶＤプレーヤ１０２と、情報記録再生手段としてのハードディスク装置１０１とを搭載したプレーヤを用いれば、１台のハードディスクに数十タイトルのＤＶＤディスクのＡＶコンテンツを保存できる。
【０００９】
このようなプレーヤの用途として、例えばシリーズもののタイトルを連続して視聴したい場合に複数のタイトルをハードディスクにコピーしてハードディスクから再生を行なうような長時間のタイムシフト再生を行なえば、高価なオートチェンジャーなしでも途中でディスクを入れ替える手間なしで、連続して視聴することができる。
【００１０】
ここで、図９の装置の動作についてもう少し詳しく説明する。
【００１１】
通常通りＤＶＤディスクを視聴する場合は、まず、ＤＶＤディスク１０９がＤＶＤプレーヤ１０２に挿入され、ユーザが再生ボタンを押すなどの操作を行なうと、ユーザＩ／Ｆ１０５から再生コマンドがＵ＿ＩＦバスを経由してシステム制御回路１０６に送信される。
【００１２】
上記再生コマンドを受けたシステム制御回路１０６は、ＤＶＤプレーヤ１０２に対してＤ＿ＩＦバス経由で暗号鍵要求コマンドをＤＶＤプレーヤ１０２に送信する。該暗号鍵要求コマンドに呼応してＤＶＤプレーヤ１０２は、Ｄ＿ＩＦバス経由でＡＶコンテンツデータを暗号化している暗号鍵をシステム制御回路１０６に送信する。暗号鍵を受けたシステム制御回路１０６は、ＡＶ＿ＫＥＹバス経由でデスクランブラー１０７に該暗号鍵を設定する。
【００１３】
続いて、システム制御回路１０６は、Ｄ＿ＩＦバス経由でＤＶＤプレーヤ１０２に対してＡＶコンテンツデータの再生コマンドを送信する。
【００１４】
これに呼応してＤＶＤプレーヤ１０２は、暗号化された状態のＡＶコンテンツデータをＤ＿ＩＦバス経由でシステム制御回路１０６に送信する。ＡＶコンテンツデータを受けたシステム制御回路１０６は、該データをＡＶ＿ＤＡＴＡバス経由でデスクランブラー１０７に送信する。
【００１５】
次に、デスクランブラー１０７は、設定された暗号鍵によりＡＶ＿ＤＡＴＡバス経由で入力されるＡＶコンテンツデータの暗号を解き、解いたデータを、ＤＶＡ＿ＤＡＴＡバス経由で動画データ伸張回路１０８のＭ＿ＩＮバスに送信し、該動画データ伸張回路１０８によって動画データおよび音声データが復元されて、それぞれのデータがＭ＿ＯＵＴバス経由でモニタ１１０のＭ＿ＤＡＴＡバスに送信され、ユーザはＤＶＤディスク１０９のコンテンツを視聴する。
【００１６】
また、ＤＶＤディスク１０９上のＡＶコンテンツをハードディスク装置１０１に記録する場合は、ＤＶＤディスク１０９が挿入されユーザにより記録ボタンが押されると、ユーザＩ／Ｆ１０５からＵ＿ＩＦバス経由でシステム制御回路１０６に記録コマンドが送信される。
【００１７】
記録コマンドを受けたシステム制御回路１０６は、ＤＶＤプレーヤ１０２に対してＤ＿ＩＦバス経由で暗号鍵要求コマンドを送信する。
【００１８】
上記暗号鍵要求コマンドに呼応してＤＶＤプレーヤ１０２は、Ｄ＿ＩＦバス経由でＡＶコンテンツデータを暗号化している暗号鍵Ａをシステム制御回路１０６に送信する。
【００１９】
暗号鍵Ａを受信したシステム制御回路１０６は、ＡＶ＿ＫＥＹバス経由でデスクランブラー１０７に該暗号鍵Ａを設定する。
【００２０】
次に、システム制御回路１０６は、Ｄ＿ＩＦバス経由でＤＶＤプレーヤ１０２に再生コマンドを送信する。これに呼応してＤＶＤプレーヤ１０２は、ＤＶＤディスク１０９上のＡＶコンテンツデータＡをＤ＿ＩＦバス経由でシステム制御回路１０６に送信する。
【００２１】
また、ほぼ同時にシステム制御回路１０６は、ハードディスク装置１０１に対してＨ＿ＩＦバス経由で記録コマンドを送信し、続いて記録データを送出する。このとき、記録データとしては、ＤＡＶ＿ＤＡＴＡバス経由でデスクランブラー１０７から受信した暗号化が解かれたＡＶコンテンツデータがＨ＿ＩＦバス経由でハードディスク装置１０１に送信される。
【００２２】
これにより、ＤＶＤディスク１０９上のＡＶコンテンツデータＡが暗号化の解かれた状態でハードディスク装置１０１内の記録媒体に記録される。
【００２３】
続いて、ハードディスク装置１０１に記録された暗号化が解かれた状態のＡＶコンテンツデータＡを再生する場合について説明する。
【００２４】
まず、ユーザがハードディスク再生ボタンを押すことにより、ハードディスク装置１０１上のＡＶコンテンツデータＡの再生を指示すると、ユーザＩ／Ｆ１０５から上記ハードディスク再生コマンドがＵ＿ＩＦバス経由でシステム制御回路１０６に送信される。
【００２５】
上記ハードディスク再生コマンドを受けたシステム制御回路１０６は、Ｈ＿ＩＦバス経由でＡＶコンテンツデータＡのファイルをリードする再生コマンドをハードディスク装置１０１に送信する。該再生コマンドに呼応してハードディスク装置１０１は、先に記録されたＡＶコンテンツデータＡをＨ＿ＩＦバス経由でシステム制御回路１０６に送信する。
【００２６】
システム制御回路１０６は、ＡＶ＿ＫＥＹバス経由でデスクランブラー１０７に入力データをそのまま加工せず出力（スルー出力）するように設定し、さらにシステム制御回路１０６は、ハードディスク装置１０１がＨ＿ＩＦバス経由で送信したＡＶコンテンツデータＡをＡＶ＿ＤＡＴＡバス経由でデスクランブラー１０７に順次送信する。
【００２７】
デスクランブラー１０７は、スルー出力設定されているので、ＡＶ＿ＤＡＴＡバス経由で入力されるＡＶコンテンツデータＡをそのままＤＡＶ＿ＤＡＴＡバス経由で動画データ伸張回路１０８に出力する。
【００２８】
この動画データ伸張回路１０８は、Ｍ＿ＩＮバス経由で入力される動画データおよび音声圧縮データを伸張し、Ｍ＿ＯＵＴバス経由でモニタ１１０のＭ＿ＤＡＴＡに送出することで、ユーザはハードディスク装置１０１に記録されたＤＶＤディスク１０９のコンテンツを視聴する。
【００２９】
【発明が解決しようとする課題】
ところが、図９に示した装置のような、安易にハードディスク上にＤＶＤディスク上のＡＶコンテンツの複製を作成することが可能な装置は、違法コピーを助長することになり、著作権保護の観点から実際には製造販売することは困難であるという問題が生じる。
【００３０】
また、図９に示した装置のように、ＤＶＤディスク毎に上述のような暗号鍵の処理を行なっていたのでは、複数のＤＶＤディスクを連続して再生しようとする場合、ＤＶＤディスクの入れ替えごとに上述した処理が行われるため、待ち時間なく複数のＤＶＤディスクを再生することができず、ユーザの利便性を低下させるという問題が生じる。
【００３１】
本発明は、上記の各問題点に鑑みなされたものであって、その目的は、著作権で保護されるべき複数の情報を連続して再生する際に、著作権の保護を行ないつつ、ユーザの利便性を向上できる情報記録方法及び情報記録再生装置を提供することにある。
【００３２】
【課題を解決するための手段】
上記の課題を解決するために、本発明の情報記録方法は、第１の記録媒体に記録された情報を、第２の記録媒体に記録する情報記録方法において、第１の記録媒体に暗号化された状態で記録された情報を、第２の記録媒体に記録する際に、暗号化された状態で記録すると共に、暗号解読の有効期限を設定するための有効期限情報を併せて記録することを特徴としている。
【００３３】
上記の構成によれば、第２の記録媒体に記録された情報は、暗号化された状態で記録されているので、第１の記録媒体に記録された情報と同じに暗号解読を行なうことで正常に再生することが可能となる。
【００３４】
例えば、第２の記録媒体に対して、複数の第１の記録媒体の情報を記録するようにすれば、複数の第１の記録媒体を連続して再生させるように、一つの第２の記録媒体から各第１の記録媒体の情報を連続して再生することが可能となる。
【００３５】
しかも、第１の記録媒体に暗号化された状態で記録された情報を、第２の記録媒体に記録する際に、暗号解読の有効期限を設定するための有効期限情報を併せて記録するようになっているので、この有効期限が過ぎれば、暗号の解読が行なえないようになり、その結果、第２の記録媒体に記録した情報を再生することができなくなる。
【００３６】
したがって、第２の記録媒体に記録した情報が無期限で再生可能にならないので、特に、第１の記録媒体に記録された情報が著作権で保護されるべき情報である場合、著作権が保護された状態で第２の記録媒体に記録されることになる。
【００３７】
例えば、第１の記録媒体として、市販されているＤＶＤ−ｖｉｄｅｏを想定し、第２の記録媒体として、上記のＤＶＤ−ｖｉｄｅｏよりも容量の大きいハードディスクを想定したときに、複数のＤＶＤ−ｖｉｄｅｏを、一つのハードディスクに記録する場合、ＤＶＤ−ｖｉｄｅｏ毎に暗号解読の有効期限が設定されるので、この有効期限内であれば、複数のＤＶＤ−ｖｉｄｅｏの内容をハードディスクから連続して再生することが可能となる。
【００３８】
この場合、有効期限が過ぎれば再生できなくなるので、ＤＶＤ−ｖｉｄｅｏが購入したものではなく、他人から借りたもののであっても、ＤＶＤ−ｖｉｄｅｏから記録再生装置へのコピーは不正なものとみなされず、該ＤＶＤ−ｖｉｄｅｏの著作権は守られる。
【００３９】
例えば、ＤＶＤ−ｖｉｄｅｏがレンタルショップで借りたものであり、レンタル期限が設定されている場合、ＤＶＤ−ｖｉｄｅｏを一旦、記録再生装置に記録しておけば、暗号解読の有効期限内であれば、レンタル期限が切れても再生することが可能となる。
【００４０】
以上のことから、上記の情報記録方法によれば、著作権で保護されるべき複数の情報を連続して再生する際に、著作権の保護を行ないつつ、ユーザの利便性の向上を図ることができる。
【００４１】
また、本発明の情報記録再生装置は、上記の課題を解決するために、第１の記録媒体に暗号化された状態で記録された情報を再生する情報再生手段と、上記情報再生手段によって再生された第１の記録媒体に記録された情報を、暗号化された状態で第２の記録媒体に記録し、該第２の記録媒体に記録した情報を必要に応じて再生する記録再生手段と、上記第２の記録媒体に記録した情報の暗号解読の有効期限を設定する有効期限設定手段と、上記記録再生手段によって、第２の記録媒体に記録された情報が再生されるとき、上記有効期限設定手段によって設定された有効期限を越えているか否かを判定する有効期限判定手段と、上記有効期限判定手段によって有効期限を越えていると判定された時には、第２の記録媒体に記録された情報の再生を行なわないように上記記録再生手段を制御する制御手段とを備えていることを特徴としている。
【００４２】
上記の構成によれば、第２の記録媒体に記録される情報は、暗号化された状態であり、この暗号の解読に有効期限が設定されていることにより、有効期限内であれば、暗号解読が行なわれるので、第２の記録媒体に記録された情報を再生することができるが、有効期限を超えれば、第２の記録媒体に記録された情報の暗号が解読されなくなるので、第２の記録媒体に記録された情報を再生することができなくなる。
【００４３】
このように、第２の記録媒体に暗号化された状態で記録された情報を、有効期限で管理することで、第２の記録媒体に記録された情報を適正に再生することが可能となる。つまり、第２の記録媒体に記録された情報に対して適正な認証を行なうことが可能となるので、例えば第２の記録媒体に記録された情報が著作権で保護すべき情報であれば、情報の再生を無期限に設定していないので、著作権を保護していることになる。
【００４４】
また、第１の記録媒体に記録されている再生すべき情報を一旦、第２の記録媒体に記録（コピー）し、該コピーされた情報の読み出しを行なうため、第１の記録媒体が光ディスク、第２の記録媒体がハードディスク等の場合には、それぞれの再生装置における読み出し性能差に応じて高速な読み出しを行なうことができる。
【００４５】
ここで、第２の記録媒体の記憶容量が第１の記録媒体の記憶容量よりも大きく、複数の第１の記録媒体の内容（ＡＶコンテンツ）を第２の記録媒体に記録可能な場合には、情報再生時の情報の読み出しは記録再生手段から行なうため、情報再生手段からの再生に比べ、異なる第１の記録媒体間の情報の再生を連続して行なうことが可能となる。
【００４６】
以上のことから、上記の情報記録再生装置によれば、著作権で保護されるべき複数の情報を連続して再生する際に、著作権の保護を行ないつつ、ユーザの利便性の向上を図ることができる。
【００４７】
上記有効期限設定手段による有効期限の設定は、以下のようにして行なうことが考えられる。
【００４８】
上記有効期限設定手段は、第２の記録媒体に第１の記録媒体の情報が記録された時点からの経過時間により有効期限を設定するようにしてもよい。
【００４９】
この場合、有効期限の起点を第２の記録媒体上に記録された時点としているので、第２の記録媒体上に記録する日時情報に応じて有効期限を設定することができる。なお、第２の記録媒体上に記録する日時情報を再度行なうようにすれば、実質的に有効期限の延長を行なうことも可能となる。
【００５０】
また、上記有効期限設定手段は、第２の記録媒体に記録された情報の初回の暗号解読時点からの経過時間により有効期限を設定するようにしてもよい。
【００５１】
この場合、有効期限による再生動作の制限は、少なくとも暗号解読が行われた後に行なうようにしているので、１度も再生を行なうことなく有効期限の超過により情報の正常な再生が禁止されることを排除することができる。つまり、初回の暗号解読が行なわれるまで、有効期限のカウントが行なわれないので、１度も再生しないうちに有効期限が過ぎるという事態を回避することができる。
【００５２】
また、本発明の情報記録再生装置は、以下のように構成してもよい。
【００５３】
すなわち、上記の課題を解決するために、第１の暗号鍵により暗号化された情報及び該第１の暗号鍵を記録した第１の記録媒体の情報再生を行なう情報再生手段と、第１の記録媒体に記録された暗号化された情報を第２の記録媒体に記録する記録再生手段と、第２の記録媒体に記録される情報の暗号解読に対する有効期限が日時情報として記録される有効期限記録手段と、現在日時に関する情報を取得する日時情報取得手段と、情報の再生要求が生じた場合に、上記有効期限記録手段に記録された日時情報と上記日時情報取得手段から取得した日時情報とを比較して上記有効期限を判定する有効期限判定手段と、上記有効期限判定手段によって、第２の記録媒体に記録されている情報の暗号解読に対する有効期限が超過していると判定された場合に、上記第２の記録媒体に記録された暗号化された情報の再生ができないように上記記録再生手段を制御する制御手段とを備えた構成であってもよい。
【００５４】
さらに、第１の暗号鍵により暗号化された情報及び該第１の暗号鍵を記録した第１の記録媒体の情報再生を行なう情報再生手段と、第１の記録媒体に記録された暗号化された情報を、上記暗号鍵保持手段の保持場所を特定する情報とを対にして第２の記録媒体に記録する記録再生手段と、上記第１の記録媒体から読み出した第１の暗号鍵を特定の場所に保持するとともに、第１の記録媒体に記録された情報を、第２の記録媒体に記録された日時情報とを対にして保持する暗号鍵保持手段と、現在日時に関する情報を取得する日時情報取得手段と、上記記録再生手段によって第２の記録媒体に記録された情報が再生されるとき、上記暗号鍵保持手段に記録された日時情報と上記日時情報取得手段から取得した日時情報とを比較して、上記第２の記録媒体に記録した情報の暗号解読の有効期限を判定する有効期限判定手段と、上記有効期限判定手段によって判定した日時情報が有効期限内にある場合に、第１の記録媒体から、暗号化された情報と該情報を復号するための第１の暗号鍵の保存場所を特定する情報を読み出し、第１の暗号鍵の保存場所を特定する情報に基づいて上記暗号鍵保持手段から暗号鍵を読み出し、第２の記録媒体に記録された暗号化された情報を該第１の暗号鍵によって復号するように上記記録再生手段を制御する制御手段とを有する構成としてもよい。
【００５５】
この場合、光ディスク等の第１の記録媒体に記録された映像等の情報を、ＤＶＤプレーヤ等の情報再生手段により読み出し、該読み出した情報をハードディスク等の第２の記録媒体に第１の暗号鍵により暗号化されたままの状態で記録する記録再生手段と、現在日時に関する情報をタイマー手段等から取得する日時情報取得手段と、情報の再生要求が生じた場合に、暗号鍵保持手段に記録された日時情報と上記日時情報取得手段から取得した日時情報を比較して有効期限を判定する有効期限判定手段と、前記有効期限判定手段が再生に対する有効期限を超過していると判定する場合には前記第２の記録媒体上に暗号化された状態で記録された情報の正常な再生を禁止するＣＰＵ等の制御手段（システム制御手段）とを有している。
【００５６】
したがって、第２の記録媒体上に記録されたＡＶコンテンツ等の情報に対する再生要求があった場合に、記録された時点からの経過時間が所定時間内にあれば、ＡＶコンテンツデータの正常な再生を許可し、所定時間を超過している場合には認証を無効として正常な再生を禁止するという判断を制御手段が行なうことができる。つまり、第２の記録媒体上に第１の暗号鍵により暗号化された状態で記録された情報の有効期限を管理しているので、再生要求が有効期限内に行われたか否に対してのチェックにより適正な認証を行なうことができる。
【００５７】
また、第１の記録媒体に記録されている再生すべき情報を一旦、第２の記録媒体に記録（コピー）し、該コピーされた情報の読み出しを行なうため、第１の記録媒体が光ディスク、第２の記録媒体がハードディスク等の場合には、それぞれの再生装置における読み出し性能差に応じて高速な読み出しを行なうことができる。
【００５８】
ここで、第２の記録媒体の記憶容量が第１の記録媒体の記憶容量よりも大きく、複数の第１の記録媒体の内容（ＡＶコンテンツ）を記録可能な場合には、情報再生時の情報の読み出しは記録再生手段から行なうため、情報再生手段からの再生に比べ、異なる第１の記録媒体間の情報の再生を連続して行なうことが可能となる。
【００５９】
上記暗号鍵保持手段は、上記第２の記録媒体上に前記第１の暗号鍵を第２の暗号鍵により暗号化して記録するようにしてもよい。
【００６０】
この場合、第１の暗号鍵は第２の暗号鍵により暗号化して第２の記録媒体に記録されるため、記録再生手段内の記録媒体が可搬性のある場合でも、ＡＶコンテンツデータの暗号鍵が流出する虞がない。
【００６１】
【発明の実施の形態】
〔実施の形態１〕
本発明の一実施の形態について説明すれば、以下の通りである。
【００６２】
図１は、本実施の形態にかかる情報記録再生装置の概略を示すブロック図を示す。
【００６３】
上記情報記録再生装置は、図１に示すように、記録再生手段としての記録再生装置１、ＤＶＤ再生手段としてのＤＶＤプレーヤ２、タイマー手段としてタイマー装置３、暗号鍵保持手段としての暗号鍵保持回路４、ユーザインターフェイス（ユーザＩ／Ｆ）５、システム制御手段としてのシステム制御回路（制御手段、有効期限設定手段、有効期限判定手段）６Ａ、暗号解読手段としてのデスクランブラー７、動画データ伸張手段としての動画データ伸張回路８からなっている。ユーザは、モニタ１０を通して、上記構成の情報記録再生装置により再生される情報（映画等）を視聴する。
【００６４】
上記記録再生装置１とシステム制御回路６Ａとは、ＨＤＤ＿ＩＦバスとＨ＿ＩＦバスを介して接続されている。
【００６５】
上記記録再生装置１にデータを記録する場合、システム制御回路６Ａは、Ｈ＿ＩＦバスを介して、記録位置を指定した記録コマンドに続いて記録データを記録再生装置１のＨＤＤ＿ＩＦバスに送出することで、該記録再生装置１内の記録媒体（ハードディスク等）に記録データが記録される。
【００６６】
また、記録再生装置１からデータを再生する場合、システム制御回路６Ａは、Ｈ＿ＩＦバスを介して、再生位置を指定した再生コマンドを記録再生装置１のＨＤＤ＿ＩＦバスに送信すれば、該記録再生装置１からの再生データがシステム制御回路６ＡのＨ＿ＩＦバスに出力される。
【００６７】
上記ＤＶＤプレーヤ２とシステム制御回路６Ａは、Ｄ＿ＩＦバスを介して接続されている。
【００６８】
上記ＤＶＤプレーヤ２からデータを再生する場合、システム制御回路６Ａは、Ｄ＿ＩＦバスを介して、再生位置を指定した再生コマンドを該ＤＶＤプレーヤ２に送信すれば、ＤＶＤプレーヤ２は、Ｄ＿ＩＦバスを介してシステム制御回路６Ａに再生データを出力する。
【００６９】
また、暗号化された再生データをデスクランブルする際の暗号鍵を得る場合、システム制御回路Ａは、暗号鍵要求コマンドをＤ＿ＩＦバスを介してＤＶＤプレーヤ２に送信し、該コマンドに呼応してＤＶＤプレーヤ２は、Ｄ＿ＩＦバスを介してシステム制御回路６Ａに暗号鍵を出力する。
【００７０】
上記タイマー装置３は、現在の時刻を刻んでおり、ＴＭ信号線を介してシステム制御回路６Ａと接続されており、該システム制御回路６Ａはいつでも現在の時刻を取得できるように構成されている。
【００７１】
また、上記暗号鍵保持回路４とシステム制御回路６Ａは、Ｋ＿ＩＦバスを介して接続されている。
【００７２】
システム制御回路６Ａが暗号鍵を保持する場合、該システム制御回路６Ａは、暗号鍵を保持する番地を指示したライトコマンドとともに暗号鍵データを、Ｋ＿ＩＦバスを介して暗号鍵保持回路４に送信すれば対応する番地に暗号鍵データが保持される。
【００７３】
また、システム制御回路６Ａが保持された暗号鍵を取得したい場合、暗号鍵が保持されているアドレスを指示したリードコマンドを、Ｋ＿ＩＦバスを介して暗号鍵保持回路４に送信すれば対応するアドレスに保持されている暗号鍵データが該システム制御回路６Ａに送信される。
【００７４】
この暗号鍵保持回路４は、例えば図２に示すように、半導体メモリ（ＲＡＭ）２１とコマンド処理回路２２とバッテリ２３とで構成されるランダムアクセス可能な不揮発メモリシステムが考えられる。この場合、Ｋ＿ＩＦバスからライトコマンドを受信した場合、コマンド処理回路２２は入力されたコマンドを解析して半導体メモリ２１のアドレス（ＡＤＲ）とデータ（ＤＡＴＡ）とリードライト制御信号（Ｗ／Ｒ）とを制御して受信データを半導体メモリ２１に書き込み、Ｋ＿ＩＦバスからリードコマンドを受信した場合、コマンド処理回路２２は入力されたコマンドを解析して半導体メモリ２１のアドレス（ＡＤＲ）とデータ（ＤＡＴＡ）とリードライト制御信号（Ｗ／Ｒ）とを制御して半導体メモリ２１から読み出したデータをＫ＿ＩＦバスに出力する。
【００７５】
なお、半導体メモリ２１の電源は、装置の電源とは別に設けられたバッテリ２３により確保されるため、装置の電源を切っても保持内容が失われることはない。
【００７６】
また、上記ユーザＩ／Ｆ５とシステム制御回路６Ａは、Ｕ＿ＩＦバスを介して接続されている。
【００７７】
上記ユーザＩ／Ｆ５からＤＶＤ再生コマンド、後述するタイムシフト記録コマンド、タイムシフト再生コマンドがＵ＿ＩＦバスを介してシステム制御回路６Ａに送信さる。システム制御回路６Ａは、これらのコマンドに従って一連の動作を制御する。このシステム制御回路６Ａの制御動作については後述する。
【００７８】
デスクランブラー７とシステム制御回路６Ａは、ＡＶ＿ＫＥＹバスとＡＶ＿ＤＡＴＡバスとを介して接続されている。
【００７９】
システム制御回路６Ａは、ＡＶ＿ＫＥＹバスを介してデスクランブラー７に暗号鍵を設定するためのコマンドを送信し、該デスクランブラー７に暗号鍵を設定する。
【００８０】
デスクランブラー７は、ＡＶ＿ＫＥＹバスを介してシステム制御回路６Ａから送信されたコマンドに基づいて設定された暗号鍵を用いて、ＡＶ＿ＤＡＴＡバスを介してシステム制御回路６Ａから送信されるデータに含まれる暗号化データの暗号を解いて、ＤＡＶ＿ＤＡＴＡバスを介して後段の動画データ伸張回路８に送信する。
【００８１】
システム制御回路６ＡのＡＶ＿ＤＡＴＡバスからは、暗号化データがデスクランブラー７に送信され、該デスクランブラー７のＡＶ＿ＤＡＴＡで上記暗号化データが受信されるように説明しているが、動作モードによって送受信されるデータを切り替えられる。つまり、システム制御回路６ＡのＡＶ＿ＤＡＴＡバスからは、記録再生装置１から得たデータとＤＶＤプレーヤ２から得たデータとが切り替えられてデスクランブラー７に送信されるようになっている。
【００８２】
上記デスクランブラー７の構成例を図３に示す。
【００８３】
デスクランブラー７は、暗号化過程と同様の処理を行なうもので、図３に示すように、乱数発生シフトレジスタ３１、パラレル−シリアル変換器３２、Ｅｘ−ＯＲ演算器３３、シリアル−パラレル変換器３４からなる。
【００８４】
ＡＶ＿ＫＥＹバスを介して設定される暗号鍵データは、乱数発生シフトレジスタ３１に初期値としてロードされ、ＡＶ＿ＤＡＴＡバスを介して入力されるパラレルデータは、パラレル−シリアル変換器３２によりシリアルデータに変換される。該乱数発生シフトレジスタ３１の出力とパラレル−シリアル変換器３２の出力がＥｘ−ＯＲ演算器３３により排他的論理和演算がなされ、暗号が解かれる。さらに、暗号が解かれたシリアルデータは、シリアル−パラレル変換器３４により再びパラレルデータに変換されてＤＡＶ＿ＤＡＴＡバスを介して後段の動画データ伸張回路８に送信される。
【００８５】
上記動画データ伸張回路８は、図１に示すように、デスクランブラー７のＤＡＶ＿ＤＡＴＡバスを介して送信されるパラレルデータを、Ｍ＿ＩＮバスを介して受信する。このとき受信したパラレルデータは、圧縮された動画データであるので、この動画データ伸張回路８において該動画データを伸張してモニタ１０で表示可能なデータに復元し、該データがＭ＿ＯＵＴバスを介して後段のモニタ１０のＭ＿ＤＡＴＡに送信される。
【００８６】
上記構成の情報記録再生装置の動作について、図１を参照しながら詳細に説明する。
【００８７】
まず、この情報記録再生装置において、通常どおりＤＶＤを鑑賞する場合を以下に説明する。ここで、ＤＶＤとしては、例えば、ＤＶＤのコピー防止の基本の方式であるＣＳＳ（Ｃｏｎｔｅｎｔ　Ｓｃｒａｍｂｌｅ　Ｓｙｓｔｅｍ）が採用された、例えば、ＤＶＤ−Ｖｉｄｅｏ（読み出し専用）を用いるものとする。なお、説明の便宜上、ＤＶＤ−ＶｉｄｅｏをＤＶＤディスクと称する。
【００８８】
まず、ＤＶＤディスク９ＡがＤＶＤプレーヤ２に挿入され、ユーザが再生ボタン（図示せず）を押すなどの操作を行なうと、ユーザＩ／Ｆ５から再生コマンドがＵ＿ＩＦバスを介してシステム制御回路６Ａに送信される。
【００８９】
再生コマンドを受信したシステム制御回路６Ａは、ＤＶＤプレーヤ２に対してＤ＿ＩＦバス経由で暗号鍵要求コマンドを送信する。該コマンドに呼応してＤＶＤプレーヤ２は、Ｄ＿ＩＦバスを介してＡＶコンテンツデータを暗号化している暗号鍵をシステム制御回路６Ａに送信する。暗号鍵を受信したシステム制御回路６Ａは、ＡＶ＿ＫＥＹバス経由でデスクランブラー７に暗号鍵を設定するためのコマンドを送信し、該暗号鍵を該デスクランブラー７に設定する。
【００９０】
続いて、システム制御回路６Ａは、ＤＶＤプレーヤ２に対してＡＶコンテンツデータの再生コマンドをＤ＿ＩＦバス経由で送信する。
【００９１】
これに呼応してＤＶＤプレーヤ２は、暗号化されたＡＶコンテンツデータをＤ＿ＩＦバス経由でシステム制御回路６Ａに送信する。ＡＶコンテンツデータを受信したシステム制御回路６Ａは、該データをＡＶ＿ＤＡＴＡバス経由でデスクランブラー７に送信する。
【００９２】
つぎに、デスクランブラー７は、設定された暗号鍵によりＡＶ＿ＤＡＴＡバス経由で受信したＡＶコンテンツデータの暗号を解き、そのデータをＤＡＶ＿ＤＡＴＡバス経由で動画データ伸張回路８のＭ＿ＩＮバスに送信する。
【００９３】
動画データ伸張回路８は、受信したデータから動画データおよび音声データに復元し、これらデータをＭ＿ＯＵＴバス経由でモニタ１０のＭ＿ＤＡＴＡバスに送信される。
【００９４】
上記モニタ１０では、Ｍ＿ＤＡＴＡバス経由で受信した動画データおよび音声データを出力する。
【００９５】
このようにして、モニタ１０にＤＶＤディスク９Ａのコンテンツを出力することで、ユーザは、ＤＶＤディスク９Ａのコンテンツを視聴する。
【００９６】
続いて、ＤＶＤディスク９Ａの視聴が終わり、続けてＤＶＤディスク９Ｂの視聴を行ないたい場合、ユーザはＤＶＤプレーヤ２からＤＶＤディスク９Ａを排出し、さらにＤＶＤディスク９Ｂを挿入し、前述のような再生動作を繰り返すことになる。
【００９７】
ところで、上記のＤＶＤディスク９Ａと９Ｂとを連続して視聴する場合、ＤＶＤディスク毎に上述のような暗号解読の処理が行なわれるので、一つのＤＶＤディスクの視聴が終わってから、次のＤＶＤディスクを視聴するまでにかかる時間が非常に長くなるという問題が生じる。
【００９８】
例えば、各ＤＶＤディスクのＡＶコンテンツ（例えば映画）が全く異なるもの（シリーズものでない）であれば、あまり問題にならないが、各ＤＶＤディスクのＡＶコンテンツが密接に関連する場合（映画のシリーズもののような場合）には、ユーザは連続して視聴することを望む場合が多いので、上記のように、一つのＤＶＤディスクの視聴が終わってから、次のＤＶＤディスクを視聴するまで長い時間を要する場合には問題となる。
【００９９】
そこで、このような問題を解消するために、本実施の形態では、各ＤＶＤディスクのＡＶコンテンツを暗号鍵と共に、該ＤＶＤディスクの容量よりも大きな記録媒体（ここでは、記録再生装置）に記録し、連続してＡＶコンテンツを再生する方法を提案している。
【０１００】
この場合、単にＤＶＤディスクのＡＶコンテンツを記録再生装置に記録するだけでは、著作権を保護すべき内容のＡＶコンテンツを不正にコピーしたことになるので、本実施の形態では、ＤＶＤディスクからＡＶコンテンツを記録再生装置に記録してから所定時間経過後に、該記録再生装置に記録したＡＶコンテンツを再生できないようにしている。このように、著作権を保護すべきＡＶコンテンツを記録再生装置に記録して、所定時間後に再生できなようにすることは、不正にコピーしたものではないので、著作権を保護したことになる。
【０１０１】
以上のように、ＤＶＤディスクの情報を、一旦、ハードディスク装置等の記録再生装置に記録した後で、該記録再生装置に記録された情報を再生する機能をタイムシフト機能と称する。
【０１０２】
上記構成の情報記録再生装置におけるタイムシフト機能について、以下に説明する。本タイムシフト機能は、大きく分けて２つの動作からなっている。
【０１０３】
すなわち、第１の動作は、ＤＶＤディスクなどの媒体上のデータをタイムシフト用メモリ（本実施の形態では記録再生装置１）に暗号化された状態で記録し、同時に暗号解読のための暗号鍵データを保持するタイムシフト記録動作であり、第２の動作は、タイムシフト用記録動作によりタイムシフト用メモリに記録されたデータを再生するタイムシフト再生動作である。
以下、それぞれについて詳細に説明する。
【０１０４】
はじめに、タイムシフト記録動作について以下に説明する。
【０１０５】
ＤＶＤディスク９Ａが挿入されユーザによりタイムシフト記録ボタンが押されると、ユーザＩ／Ｆ５からＵ＿ＩＦバス経由でシステム制御回路６Ａにタイムシフト記録コマンドが送信される。
【０１０６】
タイムシフト記録コマンドを受信したシステム制御回路６Ａは、ＤＶＤプレーヤ２に対して、Ｄ＿ＩＦバス経由で暗号鍵要求コマンドを送信する。該コマンドに呼応してＤＶＤプレーヤ２は、Ｄ＿ＩＦバス経由でＡＶコンテンツデータを暗号化している暗号鍵Ａをシステム制御回路６Ａに送信する。
【０１０７】
暗号鍵Ａを受信したシステム制御回路６Ａは、タイマー装置３が刻んでいる現在の時刻を基にタイムスタンプデータＡ（有効期限）を生成し、暗号鍵ＡとタイムスタンプデータＡを対にした暗号鍵データＡを暗号鍵保持回路４の空き番地に保持するためのライトコマンドを、Ｋ＿ＩＦバス経由で該暗号鍵保持回路４に送信する。ここでは、例えば図４に示すように、全部で０から９９の番地があり、すでに０から０６までの番地が使用されている場合には、空き番地である０７番地に暗号鍵ＡとタイムスタンプデータＡが対になった暗号鍵データＡが保持されるものとする。
【０１０８】
つぎに、システム制御回路６Ａは、Ｄ＿ＩＦバス経由でＤＶＤプレーヤ２に再生コマンドを送信する。これに呼応してＤＶＤプレーヤ２は、ＤＶＤディスク９Ａ上のＡＶコンテンツデータＡをＤ＿ＩＦバス経由でシステム制御回路６Ａに送信する。
【０１０９】
また、ほぼ同時にシステム制御回路６Ａは、記録再生装置１に対してＨ＿ＩＦバス経由で記録コマンドを送信し、続いて記録データを送信する。このとき、記録データとして、図５（Ａ）に示したようにＤＶＤプレーヤ２から受信したＡＶコンテンツデータＡの先頭に前記暗号鍵データＡが保持されている暗号鍵保持回路４の番地（本実施の形態では”０７”）を付加して送信する。
【０１１０】
これにより、ＤＶＤディスク９Ａ上のＡＶコンテンツデータＡが暗号化された状態で記録再生装置１内の記録媒体に記録される。
【０１１１】
次に、ＤＶＤディスク９Ａが排出され、ＤＶＤディスク９Ｂが挿入されてユーザＩ／Ｆ５によりタイムシフト記録が指示されると、同様に、ユーザＩ／Ｆ５からＵ＿ＩＦバス経由でシステム制御回路６Ａにタイムシフト記録コマンドが送信される。
【０１１２】
タイムシフト記録コマンドを受信したシステム制御回路６Ａは、ＤＶＤプレーヤ２に対してＤ＿ＩＦバス経由で暗号鍵要求コマンドを送信する。該コマンドに呼応してＤＶＤプレーヤ２は、Ｄ＿ＩＦバス経由でシステム制御回路６ＡにＡＶコンテンツデータを暗号化している暗号鍵Ｂを送信する。
【０１１３】
暗号鍵Ｂを受信したシステム制御回路６Ａは、タイマー装置３が刻んでいる現在の時刻からタイムスタンプデータＢ（有効期限）を生成し、暗号鍵ＢとタイムスタンプデータＢを対にした暗号鍵データＢを暗号鍵保持回路４の空き番地に保持するためのライトコマンドを、Ｋ＿ＩＦバス経由で暗号鍵保持回路４送信する。ここでは、すでに００から０７までの番地が使用されているので、図４に示したように０８番地に暗号鍵ＢとタイムスタンプデータＢが対になった暗号鍵データＢが保持される。
【０１１４】
次に、システム制御回路６Ａは、Ｄ＿ＩＦバス経由でＤＶＤプレーヤ２に再生コマンドを送信する。これに呼応してＤＶＤプレーヤ２は、ＤＶＤディスク９Ｂ上のＡＶコンテンツデータＢをＤ＿ＩＦバス経由でシステム制御回路６Ａに送信する。
【０１１５】
また、ほぼ同時にシステム制御回路６Ａは、Ｈ＿ＩＦバス経由で記録再生装置１に記録コマンドを送信し、続いて記録データを送信する。このとき、記録データとして、図５（Ｂ）に示すように、ＤＶＤプレーヤ２から受信したＡＶコンテンツデータＢの先頭に前記の暗号鍵保持回路４の番地（本実施の形態では”０８”）を付加して送信する。
【０１１６】
これにより、ＤＶＤディスク９Ｂ上のＡＶコンテンツデータＢが暗号化された状態で記録再生装置１内の記録媒体に記録される。
【０１１７】
次に、タイムシフト再生動作について、以下に説明する。ここでは、上記のタイムシフト記録動作によって、記録されたＡＶコンテンツデータＡ、Ｂを連続して再生する場合について説明する。
【０１１８】
まず、ユーザがタイムシフト再生ボタン（図示せず）を押すことにより、ＡＶコンテンツデータＡとＡＶコンテンツデータＢの連続再生を指示すると、ユーザＩ／Ｆ５から上記タイムシフト記録された２つのデータ（ＡＶコンテンツデータＡ、ＡＶコンテンツデータＢ）の連続再生を要求するタイムシフト再生コマンドがＵ＿ＩＦバス経由でシステム制御回路６Ａに送信される。
【０１１９】
タイムシフト再生コマンドを受信したシステム制御回路６Ａは、Ｈ＿ＩＦバス経由で記録再生装置１にＡＶコンテンツデータＡのファイルのリードを要求する再生コマンドを送信する。該再生コマンドに呼応して記録再生装置１は、先に記録されたＡＶコンテンツデータＡをＨ＿ＩＦバス経由でシステム制御回路６Ａに送信する。
【０１２０】
システム制御回路６Ａは、該ＡＶコンテンツデータＡの先頭を解析して暗号鍵保持回路４の番地（本実施の形態では０７）を取得し、Ｋ＿ＩＦバス経由で暗号鍵保持回路４に該番地（０７番地）のデータをリードするリードコマンドを送信する。該リードコマンドに呼応して暗号鍵保持回路４は、指定された番地（０７番地）に保持されている暗号鍵ＡとタイムスタンプデータＡをＫ＿ＩＦバス経由でシステム制御回路６Ａに送信する。
【０１２１】
システム制御回路６Ａは、Ｋ＿ＩＦバス経由で暗号鍵保持回路４から暗号鍵ＡとタイムスタンプデータＡを取得し、さらに、タイマー装置３から現在の時刻をＴＭバス経由で取得する。
【０１２２】
システム制御回路６Ａは、タイムスタンプデータＡと現在の時刻との差が所定時間を超過しているかの判定を行い、超過していればＵ＿ＩＦバス経由でユーザＩ／Ｆ５にタイムオーバーであることを通知する信号を送信する。
【０１２３】
タイムオーバーを通知する信号を受信したユーザＩ／Ｆ５は、表示装置（図示せず）にその旨を表示し、ユーザに知らせる。
【０１２４】
一方、タイムスタンプデータＡと現在の時刻の差が所定時間内と判定された場合は、システム制御回路６Ａは、暗号鍵ＡをＡＶ＿ＫＥＹバス経由でデスクランブラー７に送信し、該デスクランブラー７に設定し、記録再生装置１がＨ＿ＩＦバス経由で送信してきたＡＶコンテンツデータＡから先頭部分の暗号鍵番地データ（０７）を取り除いて、ＡＶ＿ＤＡＴＡバス経由でデスクランブラー７に順次送信する。
【０１２５】
デスクランブラー７は、設定された暗号鍵ＡによってＡＶ＿ＤＡＴＡバス経由で入力されるＡＶコンテンツデータＡの暗号を解き、解いた圧縮データをＤＡＶ＿ＤＡＴＡバス経由で動画データ伸張回路８のＭ＿ＩＮバスに送信する。
【０１２６】
続いて、動画データ伸張回路８は、Ｍ＿ＩＮバス経由で入力される圧縮データ（動画圧縮データおよび音声圧縮データ）を伸張し、Ｍ＿ＯＵＴバス経由でモニタ１０のＭ＿ＤＡＴＡバスに送信する。
【０１２７】
このようにして、ＡＶコンテンツデータＡの再生が終了すると、システム制御回路６Ａは、引き続いて、Ｈ＿ＩＦバス経由で記録再生装置１にＡＶコンテンツデータＢのデータをリードする再生コマンドを送信する。該再生コマンドに呼応して記録再生装置１は、先に記録されたＡＶコンテンツデータＢをＨ＿ＩＦバス経由でシステム制御回路６Ａに送信する。
【０１２８】
システム制御回路６Ａは、受信したＡＶコンテンツデータＢの先頭を解析して暗号鍵番地（本実施の形態では０８）を取得し、Ｋ＿ＩＦバス経由で暗号鍵保持回路４に該番地（０８番地）のデータをリードするリードコマンドを送信する。該リードコマンドに呼応して暗号鍵保持回路４は、指定された番地（０８番地）に保持されている暗号鍵ＢとタイムスタンプデータＢをＫ＿ＩＦバス経由でシステム制御回路６Ａに送信する。
【０１２９】
システム制御回路６Ａは、Ｋ＿ＩＦバス経由で暗号鍵保持回路４から暗号鍵ＢとタイムスタンプデータＢを取得し、さらに、ＴＭバス経由でタイマー装置３から現在の時刻を取得する。
【０１３０】
システム制御回路６Ａは、タイムスタンプデータＢと現在の時刻とを比較し、その差が所定時間を越えていれば、前述したように、Ｕ＿ＩＦバス経由でユーザＩ／Ｆ５にタイムオーバーであることを通知する信号を送信する。
【０１３１】
タイムオーバーを通知する信号を受信したユーザＩ／Ｆ５は、表示装置（図示せず）にその旨を表示し、ユーザに知らせる。
【０１３２】
一方、タイムスタンプデータＢと現在の時刻とを比較し、その差が所定時間内の場合は、暗号鍵ＢをＡＶ＿ＫＥＹバス経由でデスクランブラー７に送信し、該デスクランブラー７に設定し、記録再生装置１がＨ＿ＩＦバス経由で送信したＡＶコンテンツデータＢから先頭部分の暗号鍵番地データ（０８）を取り除いて、ＡＶ＿ＤＡＴＡバス経由でデスクランブラー７に順次送信する。
【０１３３】
デスクランブラー７は、設定された暗号鍵ＢによってＡＶ＿ＤＡＴＡバス経由でシステム制御回路６Ａから入力されるＡＶコンテンツデータＢの暗号を解き、ＤＡＶ＿ＤＡＴＡバス経由で動画データ伸張回路８のＭ＿ＩＮバスに送信する。
【０１３４】
続いて、動画データ伸張回路８は、Ｍ＿ＩＮバス経由でデスクランブラー７から入力される圧縮データ（動画圧縮データおよび音声圧縮データ）を伸張し、Ｍ＿ＯＵＴバス経由でモニタ１０のＭ＿ＤＡＴＡバスに送信する。
【０１３５】
上記説明した動作によると、ユーザは、有効期間内において、ＤＶＤディスク９ＡとＤＶＤディスク９ＢのＡＶコンテンツを連続して途切れることなく視聴することができる。
【０１３６】
また、上記タイムシフト記録動作において、ＡＶコンテンツデータがすでに記録再生装置１に記録されている場合は、暗号鍵データの保持動作のみが行われる。この動作は、見かけ上、ＤＶＤディスクを基にした記録再生装置１上のデータを再生するために、オリジナルのＤＶＤディスクを認証手段として使い、所定の時間が経過すると認証が失われる事と等価であることを示している。
【０１３７】
〔実施の形態２〕
本発明の他の実施の形態について説明すれば、以下の通りである。なお、前記実施の形態１と同じ機能を有する部材には、同一番号を付記し、その説明を省略する。
【０１３８】
図６は、本実施の形態に係る情報記録再生装置の概略ブロック図を示す。
【０１３９】
本実施の形態に係る情報記録再生装置は、図６に示すように、記録再生装置１、ＤＶＤプレーヤ２、タイマー装置３、ユーザＩ／Ｆ５、デスクランブラー７、動画データ伸張回路８を備えている点で、前記実施の形態１の情報記録再生装置（図１）と同じであり、異なる点は、システム制御回路（有効期限設定手段、有効期限判定手段）６Ｂとスクランブラー１１とを備えていることである。
【０１４０】
また、上記情報記録再生装置では、前記実施の形態１における暗号鍵保持手段を記録再生装置１で実現している。
【０１４１】
しかしながら、前記実施の形態１のように暗号鍵とタイムスタンプデータ（有効期限）をそのままの状態で記録再生装置１に記録したのでは、記録再生装置１内の記録媒体が可搬性のある場合に、ＡＶコンテンツデータの暗号鍵が流出する可能性があり、また、本装置がパーソナルコンピュータ上に構築されたものであれば他のソフトウェアにより読み取られる可能性があるため著作権保護の観点から好ましくない。
【０１４２】
そこで、本実施の形態における情報記録再生装置に備えられたシステム制御回路６Ｂには、先の実施の形態１の機能に加えて、Ｋ＿ＫＥＹ出力（バス）、Ｋ＿ＤＡＴＡ出力（バス）、ＳＫ＿ＤＡＴＡ入力（バス）があり、それぞれスクランブラー１１に接続されている。
【０１４３】
スクランブラー１１は、Ｋ＿ＫＥＹバス経由でシステム制御回路６Ｂから設定される暗号鍵αを使用してＫ＿ＤＡＴＡバス経由で入力されるデータを暗号化してＳＫ＿ＤＡＴＡバス経由で再びシステム制御回路６Ｂに送信するようになっている。
【０１４４】
図７に、上記スクランブラー１１の具体例を示す。
【０１４５】
スクランブラー１１は、図７に示すように、乱数発生シフトレジスタ３１、パラレル−シリアル変換器３２、Ｅｘ−ＯＲ演算器３３、シリアル−パラレル変換器３４からなる。すなわち、スクランブラー１１において、Ｋ＿ＫＥＹバス経由でシステム制御回路６Ｂから設定される暗号鍵データは、乱数発生シフトレジスタ３１に初期値としてロードされ、Ｋ＿ＤＡＴＡバス経由でシステム制御回路６Ｂから入力されるデータはパラレル−シリアル変換器３２によりシリアルデータに変換される。該乱数発生シフトレジスタ３１の出力とパラレル−シリアル変換器３２の出力とがＥｘ−ＯＲ演算器３３により排他的論理和演算がなされ、暗号化がなされ、さらに暗号化されたシリアルデータはシリアル−パラレル変換器３４により再びパラレルデータに変換されて、ＳＫ＿ＤＡＴＡバス経由でシステム制御回路６Ｂに送信される。
【０１４６】
また、スクランブラー１１は、暗号を解読する機能も持っており、Ｋ＿ＤＡＴＡバス経由でシステム制御回路６Ｂから暗号鍵αで暗号化されたデータを入力すれば、暗号を解いたデータをＳＫ＿ＤＡＴＡバス経由でシステム制御回路６Ｂに送信するようになっている。
【０１４７】
したがって、システム制御回路６Ｂは、Ｋ＿ＫＥＹバス経由で暗号鍵αをスクランブラー１１に設定し、Ｋ＿ＤＡＴＡバス経由で暗号化したいデータをスクランブラー１１に送信すれば、ＳＫ＿ＤＡＴＡ経由でスクランブラー１１から暗号化されたデータを得ることができる。
【０１４８】
この情報記録再生装置の動作は、ほとんどが先に説明した実施の形態１と同じなので異なる部分のみを抽出して説明する。したがって、本実施の形態においても、前記実施の形態１と同様に、情報記録再生装置は、２つの動作（タイムシフト記録動作、タイムシフト再生動作）を含むタイムシフト機能を有している。
【０１４９】
本実施の形態では、タイムシフト記録動作の際、ＤＶＤプレーヤ２から得た暗号鍵Ａ（暗号鍵Ｂ）とタイマー装置３から得たタイムスタンプデータＡ（タイムスタンプデータＢ）を対にした暗号鍵データＡ（暗号鍵データＢ）を保持するときの動作が実施の形態１の場合と異なる。
【０１５０】
すなわち、本実施の形態では、暗号鍵データＡ（暗号鍵データＢ）は、スクランブラー１１により暗号化された上で記録再生装置１に記録される。このとき、システム制御回路６Ｂは、あらかじめＫ＿ＫＥＹバス経由でスクランブラー１１に所定の暗号鍵αを設定し、後のタイムシフト記録動作における暗号鍵保持動作の際には、Ｋ＿ＤＡＴＡバス経由で暗号鍵データＡ（暗号鍵データＢ）を送信して暗号化された暗号鍵データＡ（暗号鍵データＢ）をＳＫ＿ＤＡＴＡバス経由でスクランブラー１１から得る。
【０１５１】
続いて、記録再生装置１に対して記録コマンドを送信して暗号化された暗号鍵データＡ（暗号鍵データＢ）を、該記録再生装置１内の記録媒体にファイル名を例えば”ＫＥＹ＿ＦＩＬＥＡ（ＫＥＹ＿ＦＩＬＥＢ）”として記録する。
【０１５２】
さらに、記録再生装置１内の記録媒体にＡＶコンテンツデータＡ（ＡＶコンテンツデータＢ）を記録する場合は、図５（Ｃ）（図５（Ｄ））に示すようにＡＶコンテンツデータの先頭に暗号鍵データＡ（暗号鍵データＢ）を保持しているファイル名を表す文字列”ＫＥＹ＿ＦＩＬＥＡ（ＫＥＹ＿ＦＩＬＥＢ）”を付加して記録する。
【０１５３】
また、タイムシフト再生動作の際に、暗号鍵データＡ（暗号鍵データＢ）を取得する動作が実施の形態１と異なる。
【０１５４】
すなわち、本実施の形態では、システム制御回路６Ｂは、ＡＶコンテンツデータＡ（ＡＶコンテンツデータＢ）の再生と同時にその先頭部分を解析してファイル名：”ＫＥＹ＿ＦＩＬＥＡ（ＫＥＹ＿ＦＩＬＥＢ）”を取得し、記録再生装置１からファイル名：”ＫＥＹ＿ＦＩＬＥＡ（ＫＥＹ＿ＦＩＬＥＢ）”のファイルを再生し、暗号化された状態の暗号鍵データＡ（暗号鍵データＢ）を得る。
【０１５５】
続いて、システム制御回路６Ｂは、スクランブラー１１に対して、暗号化された状態の暗号鍵データＡ（暗号鍵データＢ）を、Ｋ＿ＤＡＴＡバス経由で送信し、ＳＫ＿ＤＡＴＡバス経由でスクランブラー１１から暗号解読された状態の暗号鍵データＡ（暗号鍵データＢ）を得る。
【０１５６】
上記において、暗号鍵αは、システム制御回路６Ｂのみが知り得る構成とすれば、記録再生装置１の記録媒体を取り出して解析した場合や、他のソフトウェアにより暗号鍵データＡや暗号鍵データＢが読み取られた場合でも暗号鍵データＡや暗号鍵データＢは暗号化されているためそのまま使用することができず著作権の確保がなされる。
【０１５７】
上記の実施の形態では、暗号鍵が保持された時点のタイムスタンプデータが対となって保持されているため、タイムシフト再生の有効期限はタイムシフト記録動作が行われた時点からの経過時間によって決まる。この場合、ユーザがタイムシフト記録操作を行ってから１度もタイムシフト再生を行なわなかった場合でも所定時間が経過すればタイムシフト再生の有効期限がきれてしまう。
【０１５８】
そこで、以下の実施の形態３では、初回のタイムシフト再生時にタイムスタンプデータを保持するようにすれば、上記の問題を解消することができる例について説明する。
【０１５９】
〔実施の形態３〕
本発明のさらに他の実施の形態について説明すれば、以下の通りである。なお、本実施の形態を実現するための情報記録再生装置の構成は、前記実施の形態１あるいは２の何れであってもよいので、その詳細な説明は省略する。
【０１６０】
本実施の形態に係る情報記録再生装置では、初回のタイムシフト再生に関しては有効期限を設けず、２回目以降のタイムシフト再生時に、タイムスタンプデータと現在時刻とが比較されて所定時間以上経過していれば再生を行なわないようにすれば、ユーザがタイムシフト記録操作を行ってから所定時間（タイムシフト再生が行なえなくなる時間）経過するまでに１度もタイムシフト再生を行なわなかった場合でもタイムシフト再生を行なうことができる。つまり、１度も再生していないタイムシフト記録されたＡＶコンテンツデータの再生ができないという事態を回避することができる。
【０１６１】
上述のように、本実施の形態に係る情報記録再生装置の構成は、前記実施の形態１あるいは実施の形態２と同じであるため、ここでは、説明の便宜上、前記実施の形態１の説明で使用した図１を参照しながら異なる部分のみ抽出して説明する。
【０１６２】
図１に示す情報記録再生装置において、システム制御回路６Ａが、タイムシフト記録の際の暗号鍵データＡ（暗号鍵データＢ）を生成する際に、現在の時刻を取得せずにタイムスタンプデータを全て０として暗号鍵データＡ（暗号鍵データＢ）を生成する点で、前記の実施の形態１と異なる。
【０１６３】
また、タイムシフト再生を行なう場合、システム制御回路６Ａが暗号鍵データＡ（暗号鍵データＢ）を取得して、現在の時刻と比較する際にタイムスタンプデータＡ（タイムスタンプデータＢ）がすべて０であった場合は初回の再生と判断し、タイムシフト再生を継続すると共にタイマー装置３から現在の時刻を取得してタイムスタンプデータＡ’（タイムスタンプデータＢ’）を得て、暗号鍵Ａ（暗号鍵Ｂ）と対にして暗号鍵データＡ’（暗号鍵データＢ’）を生成し、暗号鍵保持回路４の０７番地（０８番地）に記録する。
【０１６４】
これらの動作により、初回の再生時のみ有効期限を設けず、２回目以降の再生時には有効期限を判定してから再生を行なう動作が可能となる。
【０１６５】
上記の各実施の形態では、それぞれの手段をハードウェアとして説明したが、パーソナルコンピュータ等を用いて一部をソフトウェア化しても本発明の趣旨を逸脱するものではない。
【０１６６】
例えば、図８に示すような情報記録再生装置において、ユーザＩ／Ｆ５は、キーボード、マウス、ディスプレイなどであり、記録再生装置１は、ハードディスク装置、ＤＶＤプレーヤ２は、ＤＶＤ−ＲＯＭドライブ、また、タイマー装置３は、パーソナルコンピュータのマザーボード上に搭載されるリアルタイムクロックＩＣなどで構成される。
【０１６７】
さらに、システム制御回路６Ｂ、デスクランブラー７、動画データ伸張回路８、スクランブラー１１は、ＣＰＵとメモリなどによって実行されるプログラムコードとして実装される。
【０１６８】
以上のように、本発明の情報記録再生装置によれば、記録再生装置に一旦情報を蓄積することで長時間の連続したタイムシフト再生を可能にし、さらに、記録再生装置上のデータの暗号の解読に対して有効期限を設定するため、著作権を保護しながら複数のタイトルの連続再生などユーザの利便性を向上することができる。
【０１６９】
また、本発明の目的は、上述した機能を実現するソフトウェアであるプログラムコードをコンピュータで読み取り可能に記録した記録媒体を、システムあるいは装置に供給し、そのシステムあるいは装置のコンピュータ（またはＣＰＵやＭＰＵ）が記憶媒体に格納されたプログラムコードを読出し実行することによっても、達成可能である。この場合、記憶媒体から読出されたプログラムコード自体が上述した機能を実現することになり、そのプログラムコードを記憶した記憶媒体は本発明を構成することになる。なお、プログラムコードを供給するための記憶媒体としては、例えば、フレキシブルディスク，ハードディスク，磁気テープ，光ディスク，光磁気ディスク，ＣＤ−ＲＯＭ，ＣＤ−Ｒ，ＭＤなどのメディア、および不揮発性のメモリカード，ＲＯＭ，ＲＡＭなどのメモリを用いることができる。
【０１７０】
また、上述した機能は、コンピュータが読出した上記プログラムコードを実行することによっても実現されるだけでなく、そのプログラムコードの指示に基づき、コンピュータ上で稼働しているＯＳなどが実際の処理の一部または全部を行い、その処理によっても実現される。
【０１７１】
さらに、上述した機能は、上記記憶媒体から読出された上記プログラムコードが、コンピュータに内蔵された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によっても実現される。
【０１７２】
尚、記憶媒体に格納されている内容としてはプログラムに限定されず、データであってもよい。
【０１７３】
【発明の効果】
以上のように、本発明の情報記録方法は、第１の記録媒体に記録された情報を、第２の記録媒体に記録する情報記録方法において、第１の記録媒体に暗号化された状態で記録された情報を、第２の記録媒体に記録する際に、暗号化された状態で記録すると共に、暗号解読の有効期限を設定するための有効期限情報を併せて記録する構成である。
【０１７４】
それゆえ、第２の記録媒体に記録された情報は、暗号化された状態で記録されているので、第１の記録媒体に記録された情報と同じに暗号解読を行なうことで正常に再生することが可能となる。
【０１７５】
例えば、第２の記録媒体に対して、複数の第１の記録媒体の情報を記録するようにすれば、複数の第１の記録媒体を連続して再生させるように、一つの第２の記録媒体から各第１の記録媒体の情報を連続して再生することが可能となる。
【０１７６】
しかも、第１の記録媒体に暗号化された状態で記録された情報を、第２の記録媒体に記録する際に、暗号解読の有効期限を設定するための有効期限情報を併せて記録するようになっているので、この有効期限が過ぎれば、暗号の解読が行なえないようになり、その結果、第２の記録媒体に記録した情報を再生することができなくなる。
【０１７７】
したがって、第２の記録媒体に記録した情報が無期限で再生可能にならないので、特に、第１の記録媒体に記録された情報が著作権で保護されるべき情報である場合、著作権が保護された状態で第２の記録媒体に記録されることになる。
【０１７８】
例えば、第１の記録媒体として、市販されているＤＶＤ−ｖｉｄｅｏを想定し、第２の記録媒体として、上記のＤＶＤ−ｖｉｄｅｏよりも容量の大きいハードディスクを想定したときに、複数のＤＶＤ−ｖｉｄｅｏを、一つのハードディスクに記録する場合、ＤＶＤ−ｖｉｄｅｏ毎に暗号解読の有効期限が設定されるので、この有効期限内であれば、複数のＤＶＤ−ｖｉｄｅｏの内容をハードディスクから連続して再生することが可能となる。
【０１７９】
この場合、有効期限が過ぎれば再生できなくなるので、ＤＶＤ−ｖｉｄｅｏが購入したものではなく、他人から借りたもののであっても、ＤＶＤ−ｖｉｄｅｏから記録再生装置へのコピーは不正なものとみなされず、該ＤＶＤ−ｖｉｄｅｏの著作権は守られる。
【０１８０】
また、ＤＶＤ−ｖｉｄｅｏがレンタルショップで借りたものであり、レンタル期限が設定されている場合、ＤＶＤ−ｖｉｄｅｏを一旦、記録再生装置に記録しておけば、暗号解読の有効期限内であれば、レンタル期限が切れても再生することが可能となる。
【０１８１】
以上のことから、上記の情報記録方法によれば、著作権で保護されるべき複数の情報を連続して再生する際に、著作権の保護を行ないつつ、ユーザの利便性の向上を図ることができるという効果を奏する。
【０１８２】
また、本発明の情報記録再生装置は、以上のように、第１の記録媒体に暗号化された状態で記録された情報を再生する情報再生手段と、上記情報再生手段によって再生された第１の記録媒体に記録された情報を、暗号化された状態で第２の記録媒体に記録し、該第２の記録媒体に記録した情報を必要に応じて再生する記録再生手段と、上記第２の記録媒体に記録した情報の暗号解読の有効期限を設定する有効期限設定手段と、上記記録再生手段によって、第２の記録媒体に記録された情報が再生されるとき、上記有効期限設定手段によって設定された有効期限を越えているか否かを判定する有効期限判定手段と、上記有効期限判定手段によって有効期限を越えていると判定された時には、第２の記録媒体に記録された情報の再生を行なわないように上記記録再生手段を制御する制御手段とを備えている構成である。
【０１８３】
それゆえ、第２の記録媒体に記録される情報は、暗号化された状態であり、この暗号の解読に有効期限が設定されていることにより、有効期限内であれば、暗号解読が行なわれるので、第２の記録媒体に記録された情報を再生することができるが、有効期限を超えれば、第２の記録媒体に記録された情報の暗号が解読されなくなるので、第２の記録媒体に記録された情報を再生することができなくなる。
【０１８４】
このように、第２の記録媒体に暗号化された状態で記録された情報を、有効期限で管理することで、第２の記録媒体に記録された情報を適正に再生することが可能となる。つまり、第２の記録媒体に記録された情報に対して適正な認証を行なうことが可能となるので、例えば第２の記録媒体に記録された情報が著作権で保護すべき情報であれば、情報の再生を無期限に設定していないので、著作権を保護していることになる。
【０１８５】
また、第１の記録媒体に記録されている再生すべき情報を一旦、第２の記録媒体に記録（コピー）し、該コピーされた情報の読み出しを行なうため、第１の記録媒体が光ディスク、第２の記録媒体がハードディスク等の場合には、それぞれの再生装置における読み出し性能差に応じて高速な読み出しを行なうことができる。
【０１８６】
ここで、第２の記録媒体の記憶容量が第１の記録媒体の記憶容量よりも大きく、複数の第１の記録媒体の内容（ＡＶコンテンツ）を第２の記録媒体に記録可能な場合には、情報再生時の情報の読み出しは記録再生手段から行なうため、情報再生手段からの再生に比べ、異なる第１の記録媒体間の情報の再生を連続して行なうことが可能となる。
【０１８７】
以上のことから、上記の情報記録再生装置によれば、著作権で保護されるべき複数の情報を連続して再生する際に、著作権の保護を行ないつつ、ユーザの利便性の向上を図ることができるという効果を奏する。
【０１８８】
上記有効期限判定手段による有効期限の判定は、以下のようにして判定することが考えられる。
【０１８９】
上記有効期限判定手段は、第２の記録媒体に第１の記録媒体の情報が記録された時点からの経過時間により有効期限を判定するようにしてもよい。
【０１９０】
この場合、有効期限の起点を第２の記録媒体上に記録された時点としているので、第２の記録媒体上に記録する日時情報に応じて有効期限を設定することができる。なお、第２の記録媒体上に記録する日時情報を再度行なうようにすれば、実質的に有効期限の延長を行なうことも可能となるという効果を奏する。
【０１９１】
また、上記有効期限判定手段は、第２の記録媒体に記録された情報の初回の暗号解読時点からの経過時間により有効期限を判定するようにしてもよい。
【０１９２】
この場合、有効期限による再生動作の制限は、少なくとも暗号解読が行われた後に行なうようにしているので、１度もタイムシフト再生を行なうことなく有効期限の超過により情報の正常な再生が禁止されることを排除することができる。つまり、初回の暗号解読が行なわれるまで、有効期限のカウントが行なわれないので、１度も再生しないうちに有効期限が過ぎるという事態を回避することができるという効果を奏する。
【０１９３】
また、本発明の情報記録再生装置は、以下のように構成してもよい。
【０１９４】
すなわち、上記の課題を解決するために、第１の暗号鍵により暗号化された情報及び該第１の暗号鍵を記録した第１の記録媒体の情報再生を行なう情報再生手段と、第１の記録媒体に記録された暗号化された情報を第２の記録媒体に記録する記録再生手段と、第２の記録媒体に記録される情報の暗号解読に対する有効期限が日時情報として記録される有効期限記録手段と、現在日時に関する情報を取得する日時情報取得手段と、情報の再生要求が生じた場合に、上記有効期限記録手段に記録された日時情報と上記日時情報取得手段から取得した日時情報とを比較して上記有効期限を判定する有効期限判定手段と、上記有効期限判定手段によって、第２の記録媒体に記録されている情報の暗号解読に対する有効期限が超過していると判定された場合に、上記第２の記録媒体に記録された暗号化された情報の再生ができないように上記記録再生手段を制御する制御手段とを備えた構成であってもよい。
【０１９５】
さらに、第１の暗号鍵により暗号化された情報及び該第１の暗号鍵を記録した第１の記録媒体の情報再生を行なう情報再生手段と、第１の記録媒体に記録された暗号化された情報を、上記暗号鍵保持手段の保持場所を特定する情報とを対にして第２の記録媒体に記録する記録再生手段と、上記第１の記録媒体から読み出した第１の暗号鍵を特定の場所に保持するとともに、第１の記録媒体に記録された情報を、第２の記録媒体に記録された日時情報とを対にして保持する暗号鍵保持手段と、現在日時に関する情報を取得する日時情報取得手段と、上記記録再生手段によって第２の記録媒体に記録された情報が再生されるとき、上記暗号鍵保持手段に記録された日時情報と上記日時情報取得手段から取得した日時情報とを比較して、上記第２の記録媒体に記録した情報の暗号解読の有効期限を判定する有効期限判定手段と、上記有効期限判定手段によって判定した日時情報が有効期限内にある場合に、第１の記録媒体から、暗号化された情報と該情報を復号するための第１の暗号鍵の保存場所を特定する情報を読み出し、第１の暗号鍵の保存場所を特定する情報に基づいて上記暗号鍵保持手段から暗号鍵を読み出し、第２の記録媒体に記録された暗号化された情報を該第１の暗号鍵によって復号するように上記記録再生手段を制御する制御手段とを有する構成としてもよい。
【０１９６】
この場合、光ディスク等の第１の記録媒体に記録された映像等の情報を、ＤＶＤプレーヤ等の情報再生手段により読み出し、該読み出した情報をハードディスク等の第２の記録媒体に第１の暗号鍵により暗号化されたままの状態で記録する記録再生手段と、現在日時に関する情報をタイマー手段等から取得する日時情報取得手段と、情報の再生要求が生じた場合に、暗号鍵保持手段に記録された日時情報と上記日時情報取得手段から取得した日時情報を比較して有効期限を判定する有効期限判定手段と、前記有効期限判定手段が再生に対する有効期限を超過していると判定する場合には前記第２の記録媒体上に暗号化された状態で記録された情報の正常な再生を禁止するＣＰＵ等の制御手段（システム制御手段）とを有している。
【０１９７】
したがって、第２の記録媒体上に記録されたＡＶコンテンツ等の情報に対する再生要求があった場合に、記録された時点からの経過時間が所定時間内にあれば、ＡＶコンテンツデータの正常な再生を許可し、所定時間を超過している場合には認証を無効として正常な再生を禁止するという判断を制御手段が行なうことができる。つまり、第２の記録媒体上に第１の暗号鍵により暗号化された状態で記録された情報の有効期限を管理しているので、再生要求が有効期限内に行われたか否に対してのチェックにより適正な認証を行なうことができる。
【０１９８】
また、第１の記録媒体に記録されている再生すべき情報を一旦、第２の記録媒体に記録（コピー）し、該コピーされた情報の読み出しを行なうため、第１の記録媒体が光ディスク、第２の記録媒体がハードディスク等の場合には、それぞれの再生装置における読み出し性能差に応じて高速な読み出しを行なうことができる。
【０１９９】
ここで、第２の記録媒体の記憶容量が第１の記録媒体の記憶容量よりも大きく、複数の第１の記録媒体の内容（ＡＶコンテンツ）を記録可能な場合には、情報再生時の情報の読み出しは記録再生手段から行なうため、情報再生手段からの再生に比べ、異なる第１の記録媒体間の情報の再生を連続して行なうことが可能となるという効果を奏する。
【０２００】
上記暗号鍵保持手段は、上記第２の記録媒体上に前記第１の暗号鍵を第２の暗号鍵により暗号化して記録するようにしてもよい。
【０２０１】
この場合、第１の暗号鍵は第２の暗号鍵により暗号化して第２の記録媒体に記録されるため、記録再生手段内の記録媒体が可搬性のある場合でも、ＡＶコンテンツデータの暗号鍵が流出する虞がないという効果を奏する。
【図面の簡単な説明】
【図１】本発明の一実施の形態にかかる情報記録再生装置の概略ブロック図である。
【図２】図１に示す情報記録再生装置に備えられた暗号鍵保持回路の概略ブロック図である。
【図３】図１に示す情報記録再生装置に備えられたデスクランブラーの概略ブロック図である。
【図４】図２に示す暗号鍵保持回路における暗号鍵データとタイムスタンプとの記録状態を説明する図である。
【図５】記録データを説明する図である。
【図６】本発明の他の実施の形態にかかる情報記録再生装置の概略ブロック図である。
【図７】図６に示す情報記録再生装置に備えられたスクランブラーの概略ブロック図である。
【図８】図６に示す情報記録再生装置の機能をソフトウェアで実現する場合の概略ブロック図である。
【図９】発明の背景を説明するための情報記録再生装置の概略ブロック図である。
【符号の説明】
１　　記録再生装置（記録再生手段、第２の記録媒体）
２　　ＤＶＤプレーヤ（情報再生手段）
３　　タイマー装置（タイマー手段）
４　　暗号鍵保持回路（暗号鍵保持手段）
５　　ユーザＩ／Ｆ
６Ａ　システム制御回路（制御手段、有効期限判定手段、有効期限設定手段）
６Ｂ　システム制御回路（制御手段、有効期限判定手段、有効期限設定手段）
７　デスクランブラー
８　動画データ伸張回路
９Ａ　ＤＶＤディスク（第１の記録媒体）
９Ｂ　ＤＶＤディスク（第１の記録媒体）
１０　モニタ
１１　スクランブラー
２１　半導体メモリ
２２　コマンド処理回路
２３　バッテリ
３１　乱数発生シフトレジスタ
３２　パラレル−シリアル変換器
３３　Ｅｘ−ＯＲ演算器
３４　シリアル−パラレル変換器
【図１】
2004063016.tif 000003
【図２】
2004063016.tif 000004
【図３】
2004063016.tif 000005
【図４】
2004063016.tif 000006
【図５】
2004063016.tif 000007
【図６】
2004063016.tif 000008
【図７】
2004063016.tif 000009
【図８】
2004063016.tif 000010
【図９】
2004063016.tif 000011